(57)【要約】      （修正有）【課題】使用者の快適性を高めることができると共に、メンテナンスや取扱いの容易なパッドを提供する。【解決手段】パッド１０は、表編地と裏編地とが連結糸で連結されてメッシュ状に形成された立体編地１４と、立体編地１４の隙間１５に埋め込まれた複数のセラミック球１６とを備え、セラミック球１６の直径は立体編地１４の厚みより僅かに大きいことを特徴とする。【選択図】図１
0003150706.tif 000002
【実用新案登録請求の範囲】
【請求項１】
表編地と裏編地とが連結糸で連結されてメッシュ状に形成された立体編地と、
該立体編地の隙間に埋め込まれた複数のセラミック球と、
を備え、該セラミック球の直径は前記立体編地の厚みより僅かに大きいことを特徴とするパッド。
【請求項２】
前記立体編地の厚みが５．２ｍｍで、前記セラミック球の直径が５．３〜５．８ｍｍである請求項１に記載のパッド。
【考案の詳細な説明】
【技術分野】
【０００１】
本考案は、枕やベッド等の上に敷くためのパッドに関する。
【背景技術】
【０００２】
従来、枕やベッド等の上に敷かれるパッドとして、使用者の睡眠時の快適性を向上させたり、健康を増進させたりする目的のため、指圧用の突起部を備えているものや、内部にゲル状の冷却剤を備えているものなどが知られている（例えば、非特許文献１参照）。
【先行技術文献】
【非特許文献】
【０００３】
【非特許文献１】ケンコーコムのウェブサイト（URL：http://www.kenko.com/product/item/itm_6511782072.html）
【考案の概要】
【考案が解決しようとする課題】
【０００４】
しかしながら、上記した非特許文献１に記載されているような従来のパッドでは、使用開始直後は温度が冷た過ぎる一方、使用時間が長くなると冷却効果がなくなるため、睡眠時の快適性を十分に高めることが難しいといった問題があった。
【０００５】
また、使用前に冷蔵庫に入れておき、不使用時には直射日光の当たらない涼しい場所に保管する必要があるため、使用勝手が悪く、取扱いが面倒であるといった問題があった。
【０００６】
さらに、冷却剤の寿命が短く、定期的に新しいものに取り替える必要があるため、管理に手間が掛かるといった問題もあった。
【０００７】
本考案は、上記した課題を解決すべくなされたものであり、使用者の快適性を高めることができると共に、丸洗い出来ることで日々のメンテナンスや取扱いの容易なパッドを提供することを目的とするものである。
【課題を解決するための手段】
【０００８】
上記した目的を達成するため、本考案に係るパッドは、表編地と裏編地とが連結糸で連結されてメッシュ状に形成された立体編地と、該立体編地の隙間に埋め込まれた複数のセラミック球とを備え、該セラミック球の直径は前記立体編地の厚みより僅かに大きいことを特徴とする。
【０００９】
そして、本考案に係るパッドにおいて、前記立体編地の厚みが５．２ｍｍで、前記セラミック球の直径が５．３〜５．８ｍｍであるのが好ましい。
【考案の効果】
【００１０】
本考案によれば、使用者の快適性を高めることができると共に、メンテナンスや取扱いを容易に行うことができる等、種々の優れた効果を得ることができる。
【図面の簡単な説明】
【００１１】
【図１】本考案の実施の形態に係るパッドを示す平面図である。
【図２】本考案の実施の形態に係るパッドの部分的に拡大して示す斜視図である。
【考案を実施するための形態】
【００１２】
以下、図面を参照しつつ、本考案の実施の形態に係るパッド１０ついて説明する。なお、以下の実施の形態の説明では、パッド１０を枕に取り付ける場合を例にとって説明する。
【００１３】
本考案の実施の形態に係るパッド１０は、表編地１１と裏編地１２とが連結糸１３で連結されてメッシュ状に形成された立体編地１４と、立体編地１４の隙間１５に埋め込まれた複数のセラミック球１６とを備えて構成されている。そして、各セラミック球１６は隙間１５の周囲の立体編地１４にウレタン系接着剤を塗布した上でこの隙間１５に埋め込まれることにより立体編地１４に固着されており、これによって、各セラミック球１６の立体編地１４の隙間１５からの脱落を確実に防止することができる。
【００１４】
立体編地１４の表編地１１と裏編地１２は、例えばポリエステルにより形成され、連結糸１３は例えばナイロンにより形成されており、立体編地１４の厚みは５ｍｍ程度であるのが好ましい。また、立体編地１４の裏編地１２の裏面両側には、特に図示しないが、枕固定用の広幅のゴムバンドが取り付けられており、該ゴムバンドの裏面には横ずれ防止のためマジックテープ（登録商標）が取り付けられている。
【００１５】
セラミック球１６は、原料を１２００〜１３００℃の温度で２４時間、より好ましくは、１２６０℃の温度で２４時間、焼結した後、表面を研磨することによって形成される。このように形成されたセラミック球１６は、接触面での冷温感試験（ｑ−ｍａｘ試験）において最大熱吸収速度が０．３Ｗ／ｃｍ２以上の数値を示すようになる。この数値は一般に熱吸収効果があると言われる０．２Ｗ／ｃｍ２を大きく上回る数値であり、これにより、このセラミック球１６が高い吸熱性を備えていることが分かる。さらに、生地品質検査を行った結果、このセラミック球１６が色落ちし難いということも分かった。
【００１６】
セラミック球１６の直径は立体編地１４の厚みより大きく、例えば、立体編地１４の厚みが５．２ｍｍの場合にはセラミック球１６の直径は５．３〜５．８ｍｍとするのが好ましい。これにより、セラミック球１６は、頂部１７を僅かに突出させた浮いた状態で立体編地１４の隙間１５に埋め込まれるようになる。なお、立体編地１４に対するセラミック球１６の埋め込み範囲は、使用者が睡眠中に寝返りする際に使用者の頭部が移動する範囲を考慮して決定され、例えば、長さＬが２４ｃｍ程度、幅Ｗが３４ｃｍ程度に設定されるのが好ましい。
【００１７】
このような構成を備えたパッド１０を前記ゴムバンドにより枕（図示省略）に固定した状態で、該枕上に使用者の頭部を載せると、該頭部はセラミック球１６と接触し、このセラミック球１６は頭部の熱を吸収する。そして、このセラミック球１６の吸熱作用は、使用時間の経過と共に頭部接触面が体温に同化するが寝返り等で頭部と離れている間の短時間で初期状態に戻る。
【００１８】
したがって、使用者が特に夏場に睡眠中、頭部と枕との間に熱がこもらなくなり、頭部が常に快適な状態を保つことができ、睡眠中の使用者の快適性を十分に高めることができる。また、使用者が睡眠中に寝返りをしたとしても、使用者の頭部は常にセラミック球１６と接触しているため、睡眠中の快適性を保持することができる。
【００１９】
また、この時、セラミック球１６はその頂部１７を枕の上方に僅かに突出させた状態で立体編地１４の隙間１５に埋め込まれているため、使用者の頭部が適度の圧力でセラミック球１６に押圧され、使用者は適度の指圧効果を得ることができ、さらに快適性を高めることができる。
【００２０】
さらにまた、セラミック球１６は立体編地１４によって浮いた状態に保持されているため、上方からセラミック球１６に負荷が作用したとしても、立体編地１４がその負荷を吸収し、セラミック球１６に作用する負荷が軽減されるため、セラミック球１６が破壊されるおそれもない。
【００２１】
また、使用によりパッド１０が汚れた場合には、ブラシに中性洗剤を付けて水を掛けながら擦った後、天日干しするだけで簡単にパッド１０を洗濯することができるため、パッド１０を容易に清潔な状態に保持しておくことができる。したがって、メンテナンスが簡素化されると共に、パッド１０を常に衛生的な状態に保持することができる。
【００２２】
さらにまた、セラミック球１６は色落ちし難いため、色を付けることが可能となると共に、立体編地１４にセラミック球１６を任意に配列させることができるため、デザインの自由度を高めると共にデザイン性の向上を図ることができる。
【００２３】
なお、上記した実施の形態では、本発明に係るパッド１０を枕に取り付けた場合について説明したが、これは単なる例示に過ぎず、本発明に係るパッド１０は、ベッド、布団、クッション等にも取り付けて使用することが可能である。
【符号の説明】
【００２４】
１０          パッド
１１          表編地
１２          裏編地
１３          連結糸
１４          立体編地
１５          隙間
１６          セラミック球
【図１】
0003150706.tif 000003
【図２】
0003150706.tif 000004